(57)【要約】【課題】子ども部屋、大人の趣味空間、来客用寝室および感染症患者の隔離用空間として利用可能な空間を備える住宅を提供する。【解決手段】住宅は、リビング空間とダイニング空間とキッチン空間とを有するリビングダイニングキッチンと、リビングダイニングキッチンに隣接して配置された余白空間と、リビングダイニングキッチンと余白空間との境界部に配置された引戸とを備え、キッチン空間は、対面式キッチンを備え、余白空間の床は、フローリング材を敷設することによって構成され、余白空間の形状は、隣接する２枚の畳の長辺どうしを接触させることによって、３枚または４枚の畳を並べた長方形の形状であり、長方形の一方の長辺に、引戸が配置され、余白空間は、折りたたまれた敷布団を収納可能な収納部を備え、引戸は、引き込み戸、引き違い戸、および、引き分け戸のいずれかであり、引戸の開放時における有効開口幅が、１６００ｍｍ以上である。【選択図】図１
2020159031.tif 000002
【特許請求の範囲】
【請求項１】
リビング空間とダイニング空間とキッチン空間とを有するリビングダイニングキッチンと、
前記リビングダイニングキッチンに隣接して配置された余白空間と、
前記リビングダイニングキッチンと前記余白空間との境界部に配置された引戸とを備え、
前記キッチン空間は、対面式キッチンを備え、
前記余白空間の床は、フローリング材を敷設することによって構成され、
前記余白空間の形状は、隣接する２枚の畳の長辺どうしを接触させて３枚または４枚の畳を並べることによって構成される長方形の形状であり、
前記長方形の一方の長辺に、前記引戸が配置され、
前記余白空間は、折りたたまれた敷布団を収納可能な収納部を備え、
前記引戸は、引込戸、引違い戸、および、引分戸のいずれかであり、
前記引戸の開放時における有効開口幅が、１６００ｍｍ以上である、
住宅。
【請求項２】
前記余白空間は、前記キッチン空間に隣接して配置されている、
請求項１に記載の住宅。
【請求項３】
前記住宅が、
前記リビングダイニングキッチンおよび前記余白空間の他に、第１居室と第２居室と第３居室とを備え、
３ＬＤＫに区分される、
請求項１または請求項２に記載の住宅。
【請求項４】
前記住宅が、２階建てであり、
前記リビングダイニングキッチンおよび前記余白空間が、１階および２階の一方に配置され、
前記第１居室、前記第２居室および前記第３居室が、前記１階および前記２階の他方に配置されている、
請求項３に記載の住宅。
【請求項５】
前記収納部が、前記長方形の一方の短辺に配置されている、
請求項１から請求項４のいずれか一項に記載の住宅。
【請求項６】
前記収納部が、吊収納である、
請求項５のいずれか一項に記載の住宅。
【請求項７】
前記余白空間は、前記吊収納の左側または右側に配置された縦スリット窓を備える、
請求項６のいずれか一項に記載の住宅。
【請求項８】
前記余白空間は、前記吊収納の下側に配置された地窓を備える、
請求項６のいずれか一項に記載の住宅。
【請求項９】
前記引戸が、吊引戸である、
請求項１から請求項８のいずれか一項に記載の住宅。
【請求項１０】
前記余白空間は、浴室洗面空間の洗面所に隣接して配置され、
前記余白空間と前記浴室洗面空間との境界部に配置された間仕切壁に、出入口が設けられている、
請求項１から請求項９のいずれか一項に記載の住宅。
【発明の詳細な説明】
【技術分野】
【０００１】
本発明は住宅に関する。
【背景技術】
【０００２】
特許文献１の図１には、住宅の１階部分の間取り図が記載されている。特許文献１の図１に記載された住宅の１階部分には、玄関と、リビングダイニングと、キッチンと、洗面室と、浴室と、トイレとが設けられている。更に、特許文献１の図１に記載された住宅の１階部分には、キッチンの南側に隣接する居間が設けられており、子どもの居場所として利用される。居間の床材は、柔軟性の高い素材により形成されている。また、居間には、子ども用の学習机が設けられている。居間とキッチンとの間には、仕切壁が設けられていない。居間とキッチンとの間の境界部には、境界部全域にわたって開口部が形成されており、この開口部を通じてキッチンと居間との間の出入りが可能となっている。また、開口部には、この開口部を開閉する格子戸が設けられている。この格子戸は、引き戸からなり、キッチンと居間とを連通する通気部となっている。
【０００３】
また、特許文献１には、キッチンで家事をしながら、居間で遊ぶ子どもを監視可能である旨、および、居間の音がキッチンへ伝わりやすくなるため、子どもの様子が把握しやすくなる旨が記載されている。
また、特許文献１には、居間の東側がリビングにも隣接している旨、居間とリビングとの間に仕切壁が設けられていない旨、居間とリビングとの境界に沿って複数の収納棚が並べて設けられている旨、および、この収納壁によって居間とリビングとが出入り不能に仕切られている旨が記載されている。
また、特許文献１には、来客時に、格子戸を閉めておくことによって、居間で子どもがおもちゃ等を散らかしてもそのままにしておくことができる旨が記載されている。
【０００４】
ところで、特許文献１に記載された住宅では、居間が子どもの居場所として利用されることが想定されているものの、子どもが生まれる前あるいは子どもが成長した後に居間がどのように利用されるかについて想定されていない。
そのため、特許文献１に記載された住宅では、子どもが生まれる前あるいは子どもが成長した後に、居間が、有効利用されない無駄な空間になってしまうおそれがある。
【０００５】
特許文献２の図１には、複数所帯対応住戸を有する集合住宅が記載されている。特許文献２の図１に記載された集合住宅では、各住戸が、主住戸としての広い居住スペースと、副住戸としての狭い居住スペースとを有する。また、主住戸の間取りが、ＬＤＫと２つの洋室とを有する２ＬＤＫである。ＬＤＫのキッチン部分は、対面キッチンである。各洋室には、可動間仕切り収納が設けられている。
ところで、特許文献１に記載された主住戸では、洋室が子ども等によってどのように利用されるかについて考慮されていない。
そのため、特許文献１に記載された主住戸では、洋室が、有効利用されない無駄な空間になってしまうおそれがある。
【先行技術文献】
【特許文献】
【０００６】
【特許文献１】特開２０１４−２０５９７９号公報
【特許文献２】特開２０１３−２５３４６５号公報
【発明の概要】
【発明が解決しようとする課題】
【０００７】
上述した問題点に鑑み、本発明は、子どもの乳児期には子どものおむつ替えルームとして利用することができ、子どもの幼児期には子どものプレイルームとして利用することができ、学童の勉強部屋として利用することができ、子どもが生まれる前あるいは子どもの成長後には大人の趣味空間として利用することができ、来客時には来客用寝室として利用することができ、感染症患者の隔離用空間としても利用することができる空間を備える住宅を提供することを目的とする。
【課題を解決するための手段】
【０００８】
本発明の一態様は、リビング空間とダイニング空間とキッチン空間とを有するリビングダイニングキッチンと、前記リビングダイニングキッチンに隣接して配置された余白空間と、前記リビングダイニングキッチンと前記余白空間との境界部に配置された引戸とを備え、前記キッチン空間は、対面式キッチンを備え、前記余白空間の床は、フローリング材を敷設することによって構成され、前記余白空間の形状は、隣接する２枚の畳の長辺どうしを接触させて３枚または４枚の畳を並べることによって構成される長方形の形状であり、前記長方形の一方の長辺に、前記引戸が配置され、前記余白空間は、折りたたまれた敷布団を収納可能な収納部を備え、前記引戸は、引込戸、引違い戸、および、引分戸のいずれかであり、前記引戸の開放時における有効開口幅が、１６００ｍｍ以上である、住宅である。
【０００９】
本発明の一態様の住宅では、前記余白空間は、前記キッチン空間に隣接して配置されていてもよい。
【００１０】
本発明の一態様の住宅では、前記住宅が、前記リビングダイニングキッチンおよび前記余白空間の他に、第１居室と第２居室と第３居室とを備え、３ＬＤＫに区分されてもよい。
【００１１】
本発明の一態様の住宅では、前記住宅が、２階建てであり、前記リビングダイニングキッチンおよび前記余白空間が、１階および２階の一方に配置され、前記第１居室、前記第２居室および前記第３居室が、前記１階および前記２階の他方に配置されていてもよい。
【００１２】
本発明の一態様の住宅では、前記収納部が、前記長方形の一方の短辺に配置されていてもよい。
【００１３】
本発明の一態様の住宅では、前記収納部が、吊収納であってもよい。
【００１４】
本発明の一態様の住宅では、前記余白空間は、前記吊収納の左側または右側に配置された縦スリット窓を備えてもよい。
【００１５】
本発明の一態様の住宅では、前記余白空間は、前記吊収納の下側に配置された地窓を備えてもよい。
【００１６】
本発明の一態様の住宅では、前記引戸が、吊引戸であってもよい。
【００１７】
本発明の一態様の住宅では、前記余白空間は、浴室洗面空間の洗面所に隣接して配置され、前記余白空間と前記浴室洗面空間との境界部に配置された間仕切壁に、出入口が設けられていてもよい。
【発明の効果】
【００１８】
本発明によれば、子どもの乳児期には子どものおむつ替えルームとして利用することができ、子どもの幼児期には子どものプレイルームとして利用することができ、学童の勉強部屋として利用することができ、子どもが生まれる前あるいは子どもの成長後には大人の趣味空間として利用することができ、来客時には来客用寝室として利用することができ、感染症患者の隔離用空間としても利用することができる空間を備える住宅を提供することができる。
【図面の簡単な説明】
【００１９】
【図１】第１実施形態の住宅の一例を示す図である。
【図２】図１（Ａ）に示す余白空間を天井側から立体的に見た図である。
【図３】余白空間の用途の例を示した図である。
【図４】リビングダイニングキッチンのキッチン空間にいる母親と、余白空間にいる子どもとの関係などを説明するための図である。
【図５】第１実施形態の住宅の効果の一部を説明するための図である。
【図６】第１実施形態の住宅の適用例を示す図である。
【図７】第１実施形態の住宅の適用例を示す図である。
【図８】第１実施形態の住宅の適用例を示す図である。
【図９】第１実施形態の住宅の適用例を示す図である。
【図１０】第１実施形態の住宅の適用例を示す図である。
【発明を実施するための形態】
【００２０】
本発明の住宅の実施形態を説明する前に、本発明者等によって行われた鋭意研究の結果について説明する。
【００２１】
本発明者等は、持家率が増加傾向にある２０代後半から３０代前半の共働き夫婦に着目し、家づくりに対する意識調査を実施した。今回の調査の背景は、近年の共働き家族像が変化してきたことである。現在の共働き夫婦には、「３０歳前後の第一子出産のタイミングで持家を取得する」という層が一定数いると想定される。
調査から、この層の共働き夫婦は、定年退職までに住宅ローンが終わるメリットを強く感じて早期に住宅を建築することや、長く住み続けたいという意識が強いことがわかった。一方で、住宅建築時にライフスタイルが定まらず間取りが確定しづらいといった早期建築のデメリットも、この層の共働き夫婦は感じている。これらの背景から、例えば親の目が届くキッチン脇に様々な用途で使える３帖程度の余白（BLANK）空間（多目的空間）を確保し、柔軟に活用することも１つの手段ではないかと考えられる。
【００２２】
調査において、夫婦共働きを続けるにあたりハードルだと感じている項目として、「子どもの急病時の対応」や「育児のために時短勤務をすることが昇進のハンデになること」などがあげられた。一方、「配偶者の家事育児への参加があまりないこと」はかなり少ない比率になっている。夫婦で子育て・家事を支えあっていくことが前提であり、夫婦の年収差に関わらず、妻の就業継続が共通認識である割合が高くなっている。
上述した層の共働き夫婦では、家づくりを後押ししたきっかけとして、「結婚・妊娠・出産で将来のことを考え始めたこと」がもっとも多かった。
上述した層の共働き夫婦が早いタイミングで住宅を建築することに感じているメリットには「定年退職前に住宅ローンが終わる」が最多回答だった。一方、「定年退職後働かなくなってからの年金生活で家計が成立するか」など将来の漠然とした不安項目は、高くなった。また、老後まで長く住めることが長持ちする住宅の価値であると感じるなど、将来を見据えて家を建てる意識も見受けられた。一方、早期建築のデメリットとしては、「ライフステージが定まっておらず、どんな間取りが良いかわからない」など、くらしに未確定な点が多い中で住宅を建てることに不安があることなどもわかった。
【００２３】
ＬＤＫ（リビングダイニングキッチン）の他に追加の１部屋（詳細には、４．５帖以上の部屋）を確保することは計画上困難なケースもある。また、上述した層の共働き夫婦が感じる「ライフスタタイルが定まらない中での家づくり」への不安を設計で解消することも大切であると、本発明者等は考えた。そのような場合、生活と収納の場をコンパクトに１つにまとめた３〜４畳程度の余白（BLANK）空間をリビングダイニングキッチン（例えばキッチン空間）に隣接して配置することによって、どのようなライフスタイルにも対応可能であることを、鋭意研究において本発明者等は見い出した。
つまり、３〜４畳程度の余白（BLANK）空間をリビングダイニングキッチンに隣接して配置することによって、子どもの幼児期におもちゃがリビング空間に散乱せず、すっきりしたリビング空間をキープでき、子どもの年齢の変化に応じ、住まい手が余白（BLANK）空間を長く工夫して利用できることを、鋭意研究において本発明者等は見い出したのである。
【００２４】
次に、本発明の住宅の実施形態について、添付図面を参照して説明する。
【００２５】
＜第１実施形態＞
図１は第１実施形態の住宅１の一例を示す図である。詳細には、図１（Ａ）は第１実施形態の住宅１の主要部の一例を示しており、図１（Ｂ）は住宅１の余白空間１２の形状の一例を示している。図２は図１（Ａ）に示す余白空間１２を天井側から立体的に見た図である。住宅１は、３０５ｍｍの平面モジュール（単位寸法）を有する工業化住宅であり、住宅の外郭の平面的形状及び内部空間の平面的形状を規定する壁（外周壁及び間仕切り壁）は、モジュール芯上に設定されており、所定の壁の配置の基準線と対向する壁の基準線との離隔寸法は、平面モジュールの整数倍となっている。
図１および図２に示す例では、住宅１が、例えばリビングダイニングキッチン（ＬＤＫ）１１と、余白空間１２と、引戸１３とを備えている。リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。
余白空間１２は、リビングダイニングキッチン１１に隣接して配置されている。詳細には、余白空間１２は、リビングダイニングキッチン１１のキッチン空間１１Ｃに隣接して配置されている。
他の例では、余白空間１２は、リビングダイニングキッチン１１のリビング空間１１Ａまたはダイニング空間１１Ｂに隣接して配置されていてもよい。
【００２６】
図１および図２に示す例では、余白空間１２の床は、フローリング材を敷設することによって構成されている。余白空間１２の形状は、隣接する２枚の畳の長辺（図１（Ｂ）参照）どうしを接触させて３枚の畳（図１（Ｂ）参照）を並べることによって構成される長方形（図１（Ｂ）参照）の形状である。
他の例では、余白空間１２の形状が、隣接する２枚の畳の長辺どうしを接触させて４枚の畳を並べることによって構成される長方形の形状であってもよい。
更に他の例では、余白空間１２の形状を示す長方形の長辺（図１（Ｂ）参照）の長さが、畳の短辺（図１（Ｂ）参照）の長さの３倍よりも大きく、畳の短辺の長さの４倍未満であってもよい。
図２に示す例では、余白空間１２の形状を示す長方形の長辺の長さが２７４５［ｍｍ］（あるいは、２７４５［ｍｍ］〜３６６０［ｍｍ］）に設定され、長方形の短辺の長さが１８３０［ｍｍ］に設定されている。
【００２７】
図１および図２に示す例では、余白空間１２が収納部１２Ａを備えている。収納部１２Ａは、折りたたまれた敷布団を収納可能である。収納部１２Ａは、余白空間１２の形状を示す長方形の一方の短辺（図１（Ｂ）の上側の短辺）に配置されている。そのため、余白空間１２のうちの収納部１２Ａが配置されていない部分の形状を、正方形に近い形状にすることができる。余白空間１２の形状を示す長方形の他方の短辺（図１（Ｂ）の下側の短辺）の全体が壁面によって構成されている。そのため、家具などを置く場所を確保することができ、余白空間１２を多目的空間として利用することができる。
他の例では、収納部１２Ａが、余白空間１２の形状を示す長方形の長辺に配置されていてもよい。
図１および図２に示す例では、余白空間１２の形状を示す長方形の一方の長辺（図１（Ｂ）の左側の長辺）の全体が壁面によって構成されている。
他の例では、余白空間１２の形状を示す長方形の一方の長辺（図１（Ｂ）の左側の長辺）の約１８００［ｍｍ］〜２０００［ｍｍ］の範囲が壁面によって構成され、残りの部分に窓などが配置されていてもよい。
【００２８】
図１および図２に示す例では、収納部１２Ａが吊収納である。そのため、収納部１２Ａ（吊収納）の下側の空間を、子どものおもちゃ等の収納（片付け）空間として利用したり、子どもの遊び場として利用したりすることができる。収納部１２Ａの有効奥行寸法は７００［ｍｍ］に設定され、有効幅寸法は１０００［ｍｍ］以上（三つ折りにした敷布団が収納可能な寸法）に設定される。
他の例では、収納部１２Ａが吊収納でなくてもよい。この例においても、収納部１２Ａの有効奥行寸法は７００［ｍｍ］に設定され、有効幅寸法は１０００［ｍｍ］以上に設定される。
【００２９】
図１および図２に示す例では、余白空間１２が、縦スリット窓１２Ｂを更に備えている。縦スリット窓１２Ｂは、吊収納（収納部１２Ａ）の左側（図１（Ａ）および図２の左側）に配置されている。縦スリット窓１２Ｂは、床面近傍から開くように構成されている（つまり、縦スリット窓１２Ｂは、掃き出し窓である）。そのため、床面近傍の通風を確保することができる。その結果、乳幼児を寝かしつけやすくなることが期待できる。
他の例では、縦スリット窓１２Ｂが、吊収納（収納部１２Ａ）の右側に配置されていてもよい。
更に他の例では、余白空間１２が、吊収納（収納部１２Ａ）の下側に配置された地窓１２Ｃ（図６（Ｂ）参照）を備えていてもよい。この例では、吊収納（収納部１２Ａ）の幅寸法を大きくすることができる。
【００３０】
図１および図２に示す例では、引戸１３が、リビングダイニングキッチン１１と余白空間１２との境界部に配置されている。詳細には、引戸１３は、余白空間１２の形状を示す長方形（図１（Ｂ）参照）の一方の長辺（図１（Ｂ）の右側の長辺）に配置されている。引戸１３は、引込戸、引違い戸、および、引分戸のいずれかである。また、引戸１３の開放時における有効開口幅Ｗ（図１（Ａ）参照）は、１６００［ｍｍ］以上である。つまり、余白空間１２は、リビングダイニングキッチン１１につながるがらんどうの小空間と言える。そのため、余白空間１２をリビングダイニングキッチン１１と一体的に利用することができる。また、リビングダイニングキッチン１１で空調された空気を余白空間１２に導入することもできる。
図１および図２に示す例では、引戸１３が吊引戸ではない（つまり、レールまたは溝が床に存在する）。
他の例では、引戸１３が吊引戸であってもよい（つまり、レールまたは溝が床に存在しない）。引戸１３が吊引戸である例では、リビングダイニングキッチン１１と余白空間１２との境界部上の物の移動を容易にすることができる。例えば、リビングダイニングキッチン１１と余白空間１２との境界部上を乳児が歩行器で容易に移動することができる。また、余白空間１２の用途の変更（つまり、余白空間１２の模様替え）を容易にすることもできる。また、リビングダイニングキッチン１１と余白空間１２との境界部の床面上の清掃を容易にすることができる。また、幼児期の子どもは、余白空間１２からリビングダイニングキッチン１１にまたがって遊具などで遊ぶこともできる。また、リビングダイニングキッチン１１にいる母親が、余白空間１２に寝かせた乳児の世話をすることもできる。
【００３１】
図３は余白空間１２の用途の例を示した図である。
図３（Ａ）に示す例では、住宅１の居住者として、３０歳の親と、０歳の子どもとが想定されており、余白空間１２が、子どものおむつ替えルームとして利用されている。詳細には、４枚の置き畳が余白空間１２のフローリング材の上に敷設され、ベビー敷布団が置き畳の上に敷設されている。子どものおむつ替えが、ベビー敷布団の上で行われている。
図３（Ｂ）に示す例では、住宅１の居住者として、３３歳の親と、３歳の子どもとが想定されており、余白空間１２が、子どものプレイルームとして利用されている。詳細には、プレイマットが、余白空間１２のフローリング材の上に敷設され、子どもが、プレイマットの上に寝転がって、絵本を読んでいる。
図３（Ｃ）に示す例では、住宅１の居住者として、３５歳の親と、５歳および２歳の子ども（兄および妹）とが想定されており、余白空間１２が、子どものプレイルームとして利用されている。詳細には、鉄道模型玩具のレールが、余白空間１２のフローリング材の上で組み立てられ、子ども（兄および妹）が、鉄道模型玩具を使って遊んでいる。
図３（Ｄ）に示す例では、住宅１の居住者として、４０歳の親と、１０歳および７歳の子ども（兄および妹）とが想定されており、余白空間１２が、学童の勉強部屋として利用されている。詳細には、学習机および本棚が、余白空間１２のフローリング材の上に配置され、１０歳の子ども（兄）が、学習机で宿題をしている。
図３（Ａ）〜図３（Ｄ）に示す例では、子どもの幼児期から児童期までの長期間にわたって、余白空間１２が子どもによって有効利用される。
図３（Ｅ）に示す例では、住宅１の居住者として、４５歳の親と、１５歳および１２歳の子どもとが想定されており、余白空間１２が、大人の趣味空間として利用されている。詳細には、ＰＣ（パーソナルコンピュータ）デスクおよび本棚が、余白空間１２のフローリング材の上に配置され、母親が、ＰＣデスクの上に配置されたＰＣを操作している。
つまり、図３（Ｅ）に示す例では、子どもの成長後の長期間にわたって、余白空間１２が、家族共用空間および大人の趣味空間として有効利用される。
【００３２】
図４はリビングダイニングキッチン１１のキッチン空間１１Ｃにいる母親と、余白空間１２にいる子どもとの関係などを説明するための図である。詳細には、図４（Ａ）は、図３（Ｂ）に示す時期に対応するリビングダイニングキッチン１１のキッチン空間１１Ｃにいる母親と、余白空間１２にいる子どもとの関係の一例を示す図である。図４（Ｂ）は、図３（Ｄ）に示す時期に対応するリビングダイニングキッチン１１のキッチン空間１１Ｃにいる母親と、余白空間１２にいる子ども（兄）と、リビングダイニングキッチン１１のダイニング空間１１Ｂにいる子ども（妹）との関係の一例を示す図である。
図４（Ａ）に示す例では、余白空間１２にいる子どもが、リビングダイニングキッチン１１のキッチン空間１１Ｃにいる母親に声をかけている。また、母親は、子どもからの声かけに対し、子どもの眼を見ながら応対している。つまり、余白空間１２にいる子どもが、キッチン空間１１Ｃにいる母親に声をかける場合に、母親は子どもにすぐに関わることができる。
図４（Ｂ）に示す例では、余白空間１２にいる子ども（兄）と、ダイニング空間１１Ｂにいる子ども（妹）とが、キッチン空間１１Ｃにいる母親に声をかけている。また、母親は、２人の子どもからの声かけに対し、子どもの眼を交互に見ながら応対している。例えば余白空間１２にいる子ども（兄）が音読などの学校の宿題や勉強でつまずいた場合に、母親は、子ども（兄）がつまずいているところをすぐに見てあげることができる。
図４（Ａ）および図４（Ｂ）に示す例では、キッチン空間１１Ｃにいる母親が食事の準備をしている時であっても、子どもが親の視界に自然に入るため、母親は子どもの様子を見守ることができる。また、母親のそばにいたい子どもも、母親の近くで遊んだり学んだりできるため、安心して暮らすことができる。つまり、余白空間１２は、子どもにとって居心地の良い生活の場になる。
【００３３】
図５は第１実施形態の住宅１の効果の一部を説明するための図である。詳細には、図５（Ａ）は従来の一般的な住宅の間取りの一例を示しており、図５（Ｂ）は第１実施形態の住宅１の間取りの一例を示している。
図５（Ａ）に示す例では、２０帖のリビングダイニングキッチン（ＬＤＫ）が住宅に備えられている。おもちゃ類がＬＤＫに出しっぱなしになりやすく、リビングダイニング（ＬＤ）が常に片付いていない傾向がある。また、子どもにとっては、リビングダイニング（ＬＤ）が昼寝、遊びおよび勉強の場になる。
図５（Ｂ）に示す例では、１６帖のリビングダイニングキッチン（ＬＤＫ）１１と、４帖の余白空間１２とが、住宅１に備えられている。延べ床面積（柱芯計算）が３０坪程度の住宅１であって、４人家族（両親および２人の子ども）の生活を想定した住宅１では、リビングダイニングキッチン１１の広さは、１６帖で機能的に十分である。布団、おもちゃ類、学習用品などを余白空間１２にまとめて収納できるため、リビングダイニングキッチン１１を、すっきりと片付いた状態に維持することができる。リビングダイニングキッチン１１を片付いた状態に維持できれば、１６帖であっても、リビングダイニングキッチン１１は狭く感じられない。つまり、住宅１に余白空間１２を設けることによって、リビングダイニングキッチン１１を利用しやすい空間にすることができる。また、子どもにとっては、余白空間１２が昼寝、遊びおよび勉強の場になる。
【００３４】
上述したように、第１実施形態の住宅１では、余白空間１２がリビングダイニングキッチン１１に隣接しており、リビングダイニングキッチン１１と余白空間１２との境界部に配置された引戸１３の開放時における有効開口幅Ｗが１６００［ｍｍ］以上である。そのため、リビングダイニングキッチン１１にいる母親によって監視される乳児期または幼児期の子どもの居場所として、余白空間１２を利用することができる。
また、余白空間１２の床が、フローリング材を敷設することによって構成されている。そのため、子どもの乳児期には子どものおむつ替えルームとして、子どもの幼児期には子どものプレイルームとして、余白空間１２を利用することができる。また、余白空間１２の用途の変更（余白空間１２の模様替え）を容易にすることができる。
また、余白空間１２が、畳を３枚または４枚並べた大きさを有する。そのため、子どもが生まれる前あるいは子どもの成長後に、大人の趣味空間として、余白空間１２を利用することができる。また、学童の勉強部屋として、余白空間１２を利用することもできる。
また、折りたたまれた敷布団を収納可能な収納部１２Ａが余白空間１２に備えられている。そのため、来客時には来客用寝室として、余白空間１２を利用することができる。また、感染症患者の隔離用空間としても、余白空間１２を利用することができる。
つまり、子どもが生まれる前の期間および子どもの成長後の期間を含む長期間にわたって、余白空間１２を有効的に利用することができる。
【００３５】
また、第１実施形態の住宅１の一例では、余白空間１２が、リビングダイニングキッチン１１のキッチン空間１１Ｃに隣接して配置されている。そのため、キッチン空間１１Ｃを利用する母親は、余白空間１２を利用する乳児期または幼児期の子どもを容易に監視することができる。
【００３６】
また、第１実施形態の住宅１の一例では、余白空間１２に備えられている収納部１２Ａが、吊収納である。そのため、例えば図３（Ａ）に示す例のように、物を収納部１２Ａの下側の空間に配置することができ、余白空間１２内の自由に利用できる空間を十分に確保することができる。
【００３７】
また、第１実施形態の住宅１の一例では、縦スリット窓１２Ｂが、余白空間１２に備えられている。そのため、適度な強さの光を余白空間１２に取り込むことができる。
【００３８】
第１実施形態の住宅１は、リビングダイニングキッチン１１および余白空間１２の他に、第１居室（図示せず）と第２居室（図示せず）と第３居室（図示せず）とを備えており、３ＬＤＫに区分される。第１居室は、例えば夫婦の寝室として利用される。第２居室は、例えば子ども（兄）の寝室として利用される。第３居室は、例えば子ども（妹）の寝室として利用される。
詳細には、第１実施形態の住宅１は、２階建てであり、リビングダイニングキッチン１１および余白空間１２が、１階に配置されている。第１居室、第２居室および第３居室は、２階に配置されている。
【００３９】
図６〜図１０は第１実施形態の住宅１の適用例を示す図である。
詳細には、図６（Ａ）は第１適用例の２階建て住宅１の１階部分を示している。
住宅１は３０５［ｍｍ］の平面モジュールを有する工業化住宅である。
以下に示す寸法は、特に説明がない限りは、モジュール芯寸法（例えば、部屋を仕切る一方の間仕切り壁（壁厚約１２０［ｍｍ］）の中心から対向する他方の間仕切り壁の中心までの寸法）である。
図６（Ａ）に示す例では、住宅１の建物全体の外郭形状は、一方の辺が７３２０［ｍｍ］、その辺に直交する他方の辺が７３２０［ｍｍ］の正方形から、隅角部１か所を９１５［ｍｍ］×３６６０［ｍｍ］の長方形で切り欠いて形成された鉤形（Ｌ字）形状であり、床面積（壁芯計算）が概ね５０（４８〜５５）［ｍ２］である。
他の例（住宅１が２５０［ｍｍ］の平面モジュールを有する場合、以下同じ）では、住宅１の建物全体の外郭形状は、一方の辺が７０００［ｍｍ］〜７５００［ｍｍ］、その辺に直交する他方の辺が７０００［ｍｍ］〜７５００［ｍｍ］の正方形から、隅角部１か所を１７５０［ｍｍ］〜２０００［ｍｍ］×１７５０［ｍｍ］〜２０００［ｍｍ］の正方形、または、３５００［ｍｍ］〜３７５０［ｍｍ］×７５０［ｍｍ］〜１０００［ｍｍ］の長方形で切り欠いて形成された鉤形（Ｌ字）形状であってもよい。
【００４０】
図６（Ａ）に示す例では、住宅１が、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
他の例では、リビングダイニングキッチン１１の形状を示す長方形の長辺の長さが７０００［ｍｍ］〜７５００［ｍｍ］に設定され、長方形の短辺の長さが３５００［ｍｍ］〜３７５０［ｍｍ］に設定されていてもよい。
【００４１】
図６（Ａ）に示す例では、リビングダイニングキッチン１１の形状を示す長方形の一方の長辺と２つの短辺とが、建物の外郭ラインに接している。リビングダイニングキッチン１１の形状を示す長方形の一方の長辺と一方の短辺とが、窓を備えている。
余白空間１２は、リビングダイニングキッチン１１のキッチン空間１１Ｃに隣接して配置されている。対面式キッチン１１Ｃ１と余白空間１２との間には、通路が確保されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
他の例では、余白空間１２の形状を示す長方形の長辺の長さが２５００［ｍｍ］〜２７５０［ｍｍ］に設定され、長方形の短辺の長さが１７５０［ｍｍ］〜２０００［ｍｍ］に設定されていてもよい。
【００４２】
図６（Ａ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図６（Ａ）の上側の短辺）に配置されている。収納部１２Ａは吊収納である。
余白空間１２は、縦スリット窓１２Ｂを更に備えている。縦スリット窓１２Ｂは、吊収納（収納部１２Ａ）の右側（図６（Ａ）の右側）に配置されている。
【００４３】
図６（Ａ）に示す例では、引戸１３が、リビングダイニングキッチン１１と余白空間１２との境界部に配置されている。引戸１３は、余白空間１２の形状を示す長方形の一方の長辺（図６（Ａ）の左側の長辺）に配置されている。引戸１３は、２枚引込戸または引分戸である。また、引戸１３の開放時における有効開口幅Ｗ（図６（Ａ）参照）は、１６００［ｍｍ］以上である。詳細には、引戸１３の開放時における有効開口幅Ｗ（図６（Ａ）参照）は、１６００［ｍｍ］〜２０００［ｍｍ］である。
図６（Ａ）に示す例では、引戸１３が吊引戸ではないが、他の例では、引戸１３が吊引戸（スライド式建具）であってもよい。
【００４４】
図６（Ａ）に示す例では、浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
他の例では、浴室洗面空間１５の形状を示す長方形の長辺の長さが３５００［ｍｍ］〜３７５０［ｍｍ］に設定され、長方形の短辺の長さが１７５０［ｍｍ］〜２０００［ｍｍ］に設定されていてもよい。
【００４５】
図６（Ａ）に示す例では、手洗い空間１７が、便器（図示せず）を備えている。
手洗い空間１７の形状を示す長方形の長辺の長さが１８３０［ｍｍ］に設定され、長方形の短辺の長さが９１５［ｍｍ］に設定されている。
他の例では、手洗い空間１７の形状を示す長方形の長辺の長さが１７５０［ｍｍ］〜２０００［ｍｍ］に設定され、長方形の短辺の長さが７５０［ｍｍ］〜１０００［ｍｍ］に設定されていてもよい。
【００４６】
図６（Ａ）に示す例では、エントランス空間１８が、玄関土間１８Ａと、玄関ホール１８Ｂと、玄関ドア１８Ｃとを備えている。エントランス空間１８には、外郭ライン（７３２０［ｍｍ］×７３２０［ｍｍ］の長方形の４つの辺）よりも内側であって、外周壁（玄関ドア１８Ｃが設置されている壁）よりも外側の空間も含まれる。
玄関土間１８Ａおよび玄関ホール１８Ｂを組み合わせた空間の形状を示す正方形の各辺の長さは１８３０［ｍｍ］に設定されている。
他の例では、玄関土間１８Ａおよび玄関ホール１８Ｂを組み合わせた空間の形状を示す正方形の各辺の長さが、１７５０［ｍｍ］〜２０００［ｍｍ］に設定されていてもよい。
【００４７】
図６（Ａ）に示す例では、階段室空間１９がＵターン階段１９Ａを備えている。
階段室空間１９の形状を示す正方形の各辺の長さは、１８３０［ｍｍ］に設定されている。
他の例では、階段室空間１９の形状を示す正方形の各辺の長さが、１７５０［ｍｍ］〜２０００［ｍｍ］に設定されていてもよい。
【００４８】
図６（Ａ）に示す２階建て住宅１の２階部分には、上述した第１居室、第２居室および第３居室と、他の手洗い空間（図示せず）と、廊下（図示せず）とが配置されている。第１居室、第２居室および第３居室のそれぞれには、廊下から直接出入可能である。
第２居室と第３居室とは、可動式間仕切収納によって仕切られている。可動式間仕切収納を移動させることによって、第２居室および第３居室を１つの居室として使用可能である。
また、図６（Ａ）に示す２階建て住宅１の２階部分には、第１居室から出入可能なウォークインクローゼット（ＷＩＣ）（図示せず）が備えられている。
【００４９】
図６（Ｂ）は第２適用例の２階建て住宅１の１階部分を示している。
図６（Ｂ）に示す例では、住宅１の建物全体の外郭形状は、一方の辺が７３２０［ｍｍ］、その辺に直交する他方の辺が７３２０［ｍｍ］の正方形から、隅角部１か所を１８３０［ｍｍ］×１８３０［ｍｍ］の正方形で切り欠いて形成された鉤形（Ｌ字）形状であり、床面積（柱芯計算）が概ね５０（４８〜５５）［ｍ２］である。
【００５０】
図６（Ｂ）に示す例では、住宅１が、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００５１】
図６（Ｂ）に示す例では、リビングダイニングキッチン１１の形状を示す長方形の一方の長辺と２つの短辺とが、建物の外郭ラインに接している。リビングダイニングキッチン１１の形状を示す長方形の一方の長辺と一方の短辺とが、窓を備えている。
余白空間１２は、リビングダイニングキッチン１１のキッチン空間１１Ｃに隣接して配置されている。対面式キッチン１１Ｃ１と余白空間１２との間には、通路が確保されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００５２】
図６（Ｂ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図６（Ｂ）の上側の短辺）に配置されている。収納部１２Ａは吊収納である。
余白空間１２は、地窓１２Ｃを更に備えている。地窓１２Ｃは、吊収納（収納部１２Ａ）の下側に配置されている。
【００５３】
図６（Ｂ）に示す例では、引戸１３が、リビングダイニングキッチン１１と余白空間１２との境界部に配置されている。引戸１３は、余白空間１２の形状を示す長方形の一方の長辺（図６（Ｂ）の左側の長辺）に配置されている。引戸１３は、引込戸、引違い戸、および、引分戸のいずれかである。また、引戸１３の開放時における有効開口幅Ｗ（図６（Ｂ）参照）は、１６００［ｍｍ］以上である。
【００５４】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。玄関土間１８Ａおよび玄関ホール１８Ｂを組み合わせた空間の形状を示す正方形の各辺の長さは１８３０［ｍｍ］に設定されている。
階段室空間１９は、Ｕターン階段１９Ａを備えている。階段室空間１９の形状を示す正方形の各辺の長さは、１８３０［ｍｍ］に設定されている。
【００５５】
図７（Ａ）は第３適用例の２階建て住宅１の１階部分を示している。
図７（Ａ）に示す例では、住宅１の建物全体の外郭形状は、一方の辺が７３２０［ｍｍ］、その辺に直交する他方の辺が７３２０［ｍｍ］の正方形から、隅角部１か所を１８３０［ｍｍ］×１８３０［ｍｍ］の正方形で切り欠いて形成された鉤形（Ｌ字）形状であり、床面積（壁芯計算）が概ね５０（４８〜５５）［ｍ２］である。
【００５６】
図７（Ａ）に示す例では、住宅１が、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００５７】
図７（Ａ）に示す例では、リビングダイニングキッチン１１の形状を示す長方形の一方の長辺と２つの短辺とが、建物の外郭ラインに接している。リビングダイニングキッチン１１の形状を示す長方形の一方の長辺と一方の短辺とが、窓を備えている。
余白空間１２は、リビングダイニングキッチン１１のリビング空間１１Ａに隣接して配置されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００５８】
図７（Ａ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図７（Ａ）の下側の短辺）に配置されている。収納部１２Ａは吊収納である。
余白空間１２は、縦スリット窓１２Ｂを更に備えている。縦スリット窓１２Ｂは、吊収納（収納部１２Ａ）の右側（図７（Ａ）の右側）に配置されている。
【００５９】
図７（Ａ）に示す例では、引戸１３が、リビングダイニングキッチン１１と余白空間１２との境界部に配置されている。引戸１３は、余白空間１２の形状を示す長方形の一方の長辺（図７（Ａ）の左側の長辺）に配置されている。引戸１３は、引込戸、引違い戸、および、引分戸のいずれかである。また、引戸１３の開放時における有効開口幅Ｗ（図７（Ａ）参照）は、１６００［ｍｍ］以上である。
【００６０】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。玄関土間１８Ａおよび玄関ホール１８Ｂを組み合わせた空間の形状を示す正方形の各辺の長さは１８３０［ｍｍ］に設定されている。
階段室空間１９は、下曲り階段１９Ｂを備えている。階段室空間１９の形状を示す長方形の長辺の長さは２７４５［ｍｍ］に設定され、短辺の長さは９１５［ｍｍ］に設定されている。
他の例では、階段室空間１９の形状を示す長方形の長辺の長さが２５００［ｍｍ］〜２７５０［ｍｍ］に設定され、短辺の長さが７５０［ｍｍ］〜１０００［ｍｍ］に設定されていてもよい。
【００６１】
他の例では、階段室空間１９が、直階段（図示せず）を備えていてもよい。この例では、階段室空間１９の形状を示す長方形の長辺の長さが２５００［ｍｍ］〜３７５０［ｍｍ］に設定され、短辺の長さが７５０［ｍｍ］〜１０００［ｍｍ］に設定される。
【００６２】
図７（Ｂ）は第４適用例の２階建て住宅１の１階部分を示している。
図７（Ｂ）に示す例では、住宅１の建物全体の外郭形状は、一方の辺が７３２０［ｍｍ］、その辺に直交する他方の辺が７３２０［ｍｍ］の正方形から、隅角部１か所を９１５［ｍｍ］×３６６０［ｍｍ］の長方形で切り欠いて形成された鉤形（Ｌ字）形状であり、床面積（柱芯計算）が概ね５０（４８〜５５）［ｍ２］である。
【００６３】
図７（Ｂ）に示す例では、住宅１が、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００６４】
図７（Ｂ）に示す例では、リビングダイニングキッチン１１の形状を示す長方形の一方の長辺と２つの短辺とが、建物の外郭ラインに接している。リビングダイニングキッチン１１の形状を示す長方形の一方の長辺と一方の短辺とが、窓を備えている。
余白空間１２は、リビングダイニングキッチン１１のキッチン空間１１Ｃに隣接して配置されている。余白空間１２の形状は、４枚の畳を並べることによって構成される長方形の形状である。
余白空間１２の形状を示す長方形の長辺の長さが３６６０［ｍｍ］に設定され、長方形の短辺の長さが１８３０［ｍｍ］に設定されている。
【００６５】
図７（Ｂ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図７（Ｂ）の下側の短辺）に配置されている。収納部１２Ａは吊収納または天地収納である。
余白空間１２は、窓を更に備えている。その窓は、収納部１２Ａが配置されている短辺の反対側の短辺に配置されている。
【００６６】
図７（Ｂ）に示す例では、引戸１３が、リビングダイニングキッチン１１と余白空間１２との境界部に配置されている。引戸１３は、余白空間１２の形状を示す長方形の一方の長辺（図７（Ｂ）の左側の長辺）に配置されている。引戸１３は、２枚引込戸、３枚引違い戸、および、引分戸のいずれかである。また、引戸１３の開放時における有効開口幅Ｗ（図７（Ｂ）参照）は、１６００［ｍｍ］以上である。
【００６７】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
【００６８】
余白空間１２は、浴室洗面空間１５の洗面所１５Ａに隣接して配置されている。余白空間１２と浴室洗面空間１５との境界部には、間仕切壁１６が配置されている。間仕切壁１６には、出入口１６Ａが設けられている。そのため、幼児のおむつ交換時に処理や手洗い、乳児の入浴時の移動などを容易にすることができる。また、冬季の洗面所１５Ａの室温低下を抑制することもできる。
【００６９】
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。玄関土間１８Ａおよび玄関ホール１８Ｂを組み合わせた空間の形状を示す正方形の各辺の長さは１８３０［ｍｍ］に設定されている。
階段室空間１９は、Ｕターン階段１９Ａを備えている。階段室空間１９の形状を示す正方形の各辺の長さは、１８３０［ｍｍ］に設定されている。
【００７０】
図８（Ａ）は第５適用例の２階建て住宅１の１階部分を示している。
図８（Ａ）に示す例では、住宅１の建物全体の外郭形状は、一方の辺が９１５０［ｍｍ］、その辺に直交する他方の辺が５４９０［ｍｍ］の長方形である。
他の例では、住宅１の建物全体の外郭形状を示す長方形の長辺の長さが９０００［ｍｍ］〜９５００［ｍｍ］に設定され、長方形の短辺の長さが５０００［ｍｍ］〜５５００［ｍｍ］に設定されていてもよい。
更に他の例では、住宅１の建物全体の外郭形状は、一方の辺が１００００［ｍｍ］〜１１０００［ｍｍ］、その辺に直交する他方の辺が５０００［ｍｍ］〜５５００［ｍｍ］の長方形から、隅角部１か所を２５００［ｍｍ］〜３０００［ｍｍ］×１７５０［ｍｍ］〜２０００［ｍｍ］の長方形で切り欠いて形成された鉤形（Ｌ字）形状であってもよい。
【００７１】
図８（Ａ）に示す例では、住宅１が、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００７２】
図８（Ａ）に示す例では、リビングダイニングキッチン１１の形状を示す長方形の一方の長辺と一方の短辺とが、建物の外郭ラインに接している。リビングダイニングキッチン１１の形状を示す長方形の一方の長辺と一方の短辺とが、窓を備えている。
余白空間１２は、リビングダイニングキッチン１１のリビング空間１１Ａに隣接して配置されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００７３】
図８（Ａ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図８（Ａ）の下側の短辺）に配置されている。収納部１２Ａは吊収納である。
余白空間１２は、地窓１２Ｃを更に備えている。地窓１２Ｃは、吊収納（収納部１２Ａ）の下側に配置されている。
【００７４】
図８（Ａ）に示す例では、引戸１３が、リビングダイニングキッチン１１と余白空間１２との境界部に配置されている。引戸１３は、余白空間１２の形状を示す長方形の一方の長辺（図８（Ａ）の左側の長辺）に配置されている。引戸１３は、引込戸、引違い戸、および、引分戸のいずれかである。また、引戸１３の開放時における有効開口幅Ｗ（図８（Ａ）参照）は、１６００［ｍｍ］以上である。
【００７５】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。エントランス空間１８の形状を示す正方形の各辺の長さは１８３０［ｍｍ］に設定されている。
階段室空間１９は、上下曲り階段１９Ｃを備えている。階段室空間１９の形状を示す長方形の長辺の長さは２７４５［ｍｍ］に設定され、短辺の長さは９１５［ｍｍ］に設定されている。
【００７６】
図８（Ｂ）は第６適用例の２階建て住宅１の１階部分を示している。
図８（Ｂ）に示す例では、住宅１の建物全体の外郭形状は、一方の辺が９１５０［ｍｍ］、その辺に直交する他方の辺が５４９０［ｍｍ］の長方形である。
住宅１は、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００７７】
図８（Ｂ）に示す例では、リビングダイニングキッチン１１の形状を示す長方形の一方の長辺と一方の短辺とが、建物の外郭ラインに接している。リビングダイニングキッチン１１の形状を示す長方形の一方の長辺と一方の短辺とが、窓を備えている。
余白空間１２は、リビングダイニングキッチン１１のダイニング空間１１Ｂに隣接して配置されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００７８】
図８（Ｂ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図８（Ｂ）の上側の短辺）に配置されている。収納部１２Ａは吊収納である。
【００７９】
図８（Ｂ）に示す例では、引戸１３が、リビングダイニングキッチン１１と余白空間１２との境界部に配置されている。引戸１３は、余白空間１２の形状を示す長方形の一方の長辺（図８（Ｂ）の左側の長辺）に配置されている。引戸１３は、引込戸、引違い戸、および、引分戸のいずれかである。また、引戸１３の開放時における有効開口幅Ｗ（図８（Ｂ）参照）は、１６００［ｍｍ］以上である。
【００８０】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。エントランス空間１８の形状を示す正方形の各辺の長さは１８３０［ｍｍ］に設定されている。
階段室空間１９は、上下曲り階段１９Ｃを備えている。階段室空間１９の形状を示す長方形の長辺の長さは２７４５［ｍｍ］に設定され、短辺の長さは９１５［ｍｍ］に設定されている。
他の例では、階段室空間１９が、直階段（図示せず）を備えていてもよい。
【００８１】
図９（Ａ）は第７適用例の２階建て住宅１の１階部分を示している。
図９（Ａ）に示す例では、住宅１の建物全体の外郭形状は、一方の辺が９１５０［ｍｍ］、その辺に直交する他方の辺が５４９０［ｍｍ］の長方形である。
住宅１は、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００８２】
図９（Ａ）に示す例では、リビングダイニングキッチン１１の形状を示す長方形の一方の長辺と一方の短辺とが、建物の外郭ラインに接している。リビングダイニングキッチン１１の形状を示す長方形の一方の長辺と一方の短辺とが、窓を備えている。
余白空間１２は、リビングダイニングキッチン１１のリビング空間１１Ａに隣接して配置されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００８３】
図９（Ａ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図９（Ａ）の下側の短辺）に配置されている。収納部１２Ａは吊収納である。
余白空間１２は、地窓１２Ｃを更に備えている。地窓１２Ｃは、吊収納（収納部１２Ａ）の下側に配置されている。
【００８４】
図９（Ａ）に示す例では、引戸１３が、リビングダイニングキッチン１１と余白空間１２との境界部に配置されている。引戸１３は、余白空間１２の形状を示す長方形の一方の長辺（図９（Ａ）の左側の長辺）に配置されている。引戸１３は、引込戸、引違い戸、および、引分戸のいずれかである。また、引戸１３の開放時における有効開口幅Ｗ（図９（Ａ）参照）は、１６００［ｍｍ］以上である。
【００８５】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。エントランス空間１８の形状を示す正方形の各辺の長さは１８３０［ｍｍ］に設定されている。
階段室空間１９は、Ｕターン階段１９Ａを備えている。階段室空間１９の形状を示す正方形の各辺の長さは、１８３０［ｍｍ］に設定されている。
【００８６】
図９（Ｂ）は第８適用例の２階建て住宅１の１階部分を示している。
図９（Ｂ）に示す例では、住宅１の建物全体の外郭形状は、一方の辺が９１５０［ｍｍ］、その辺に直交する他方の辺が５４９０［ｍｍ］の長方形である。
住宅１は、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００８７】
図９（Ｂ）に示す例では、リビングダイニングキッチン１１の形状を示す長方形の一方の長辺と一方の短辺とが、建物の外郭ラインに接している。リビングダイニングキッチン１１の形状を示す長方形の一方の長辺と一方の短辺とが、窓を備えている。
余白空間１２は、リビングダイニングキッチン１１のリビング空間１１Ａに隣接して配置されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００８８】
図９（Ｂ）に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図９（Ｂ）の下側の短辺）に配置されている。収納部１２Ａは吊収納である。
余白空間１２は、地窓１２Ｃを更に備えている。地窓１２Ｃは、吊収納（収納部１２Ａ）の下側に配置されている。
【００８９】
図９（Ｂ）に示す例では、引戸１３が、リビングダイニングキッチン１１と余白空間１２との境界部に配置されている。引戸１３は、余白空間１２の形状を示す長方形の一方の長辺（図９（Ｂ）の左側の長辺）に配置されている。引戸１３は、引込戸、引違い戸、および、引分戸のいずれかである。また、引戸１３の開放時における有効開口幅Ｗ（図９（Ｂ）参照）は、１６００［ｍｍ］以上である。
【００９０】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。エントランス空間１８の形状を示す正方形の各辺の長さは１８３０［ｍｍ］に設定されている。
階段室空間１９は、Ｕターン階段１９Ａを備えている。階段室空間１９の形状を示す正方形の各辺の長さは、１８３０［ｍｍ］に設定されている。
【００９１】
図１０は第９適用例の２階建て住宅１の１階部分を示している。
図１０に示す例では、住宅１の建物全体の外郭形状は、一方の辺が１００６５［ｍｍ］、その辺に直交する他方の辺が５４９０［ｍｍ］の長方形から、隅角部１か所を２７４５［ｍｍ］×１８３０［ｍｍ］の長方形で切り欠いて形成された鉤形（Ｌ字）形状である。
【００９２】
図１０に示す例では、住宅１が、例えばリビングダイニングキッチン（ＬＤＫ）１１と、余白空間１２と、引戸１３と、浴室洗面空間１５と、手洗い空間１７と、エントランス空間１８と、階段室空間１９とを備え、３ＬＤＫに区分される。
リビングダイニングキッチン１１は、リビング空間１１Ａと、ダイニング空間１１Ｂと、キッチン空間１１Ｃとを有する。キッチン空間１１Ｃは、対面式キッチン１１Ｃ１を備えている。リビングダイニングキッチン１１の形状は長方形である。
リビングダイニングキッチン１１の形状を示す長方形の長辺の長さが７３２０［ｍｍ］に設定され、長方形の短辺の長さが３６６０［ｍｍ］に設定されている。
【００９３】
図１０に示す例では、リビングダイニングキッチン１１の形状を示す長方形の一方の長辺の全部と他方の長辺の一部と一方の短辺とが、建物の外郭ラインに接している。リビングダイニングキッチン１１の形状を示す長方形の一方の長辺と一方の短辺とが、窓を備えている。
余白空間１２は、リビングダイニングキッチン１１のダイニング空間１１Ｂに隣接して配置されている。対面式キッチン１１Ｃ１と余白空間１２との間には、通路が確保されている。余白空間１２の形状は、３枚の畳を並べることによって構成される長方形の形状である。
余白空間１２の形状を示す長方形の長辺の長さが２７４５［ｍｍ］に設定され、長方形の短辺の長さが１８３０［ｍｍ］に設定されている。
【００９４】
図１０に示す例では、余白空間１２の形状を示す長方形の一方の長辺が、リビングダイニングキッチン１１の形状を示す長方形の長辺に接している。
余白空間１２は、折りたたまれた敷布団を収納可能な収納部１２Ａを備えている。収納部１２Ａは、余白空間１２の形状を示す長方形の一方の短辺（図１０の下側の短辺）に配置されている。収納部１２Ａは吊収納である。
余白空間１２は、地窓（図示せず）を更に備えている。地窓は、吊収納（収納部１２Ａ）の下側に配置されている。
【００９５】
図１０に示す例では、引戸１３が、リビングダイニングキッチン１１と余白空間１２との境界部に配置されている。引戸１３は、余白空間１２の形状を示す長方形の一方の長辺（図１０の左側の長辺）に配置されている。引戸１３は、引込戸、引違い戸、および、引分戸のいずれかである。また、引戸１３の開放時における有効開口幅Ｗ（図１０参照）は、１６００［ｍｍ］以上である。
【００９６】
浴室洗面空間１５は、洗面所１５Ａと浴室１５Ｂとを備えている。洗面所１５Ａは、洗面化粧台（図示せず）と洗濯用設備（図示せず）とを有する。浴室１５Ｂは、浴槽（図示せず）を備えている。
浴室洗面空間１５の形状を示す長方形の長辺の長さが３６６０［ｍｍ］に設定され、長方形の短辺の長さが１８３０［ｍｍ］に設定されている。
手洗い空間１７は、便器（図示せず）を備えている。手洗い空間１７の形状を示す長方形の長辺の長さが１８３０［ｍｍ］に設定され、長方形の短辺の長さが９１５［ｍｍ］に設定されている。
エントランス空間１８は、玄関土間１８Ａと、玄関ホール１８Ｂと、玄関ドア１８Ｃとを備えている。玄関土間１８Ａおよび玄関ホール１８Ｂを組み合わせた空間の形状を示す正方形の各辺の長さは１８３０［ｍｍ］に設定されている。
階段室空間１９は、Ｕターン階段を備えている。階段室空間１９の形状を示す正方形の各辺の長さは、１８３０［ｍｍ］に設定されている。
【００９７】
＜第２実施形態＞
以下、本発明の住宅の第２実施形態について説明する。
第２実施形態の住宅１は、後述する点を除き、上述した第１実施形態の住宅１と同様に構成されている。従って、第２実施形態の住宅１によれば、後述する点を除き、上述した第１実施形態の住宅１と同様の効果を奏することができる。
【００９８】
第１実施形態の住宅１では、例えばリビングダイニングキッチン（ＬＤＫ）１１、余白空間１２、引戸１３、浴室洗面空間１５、および、手洗い空間１７が、２階建て住宅１の１階部分に配置され、第１居室、第２居室、第３居室などが、２階建て住宅１の２階部分に配置されている。
一方、第２実施形態の住宅１では、例えばリビングダイニングキッチン１１、余白空間１２、引戸１３、浴室洗面空間１５、および、手洗い空間１７が、２階建て住宅１の２階部分に配置され、第１居室、第２居室、第３居室などが、２階建て住宅１の１階部分に配置されている。
【００９９】
上述したように、第１および第２実施形態の住宅１では、親が炊事等の家事をしながら、寝かしつけた乳児を見守る、玩具等で遊ぶ幼児を見守る、宿題等をする学童と会話する、といった、子どもを見守ったり交流をしたりする場合の子どもの居場所として、余白空間１２を有効利用することができる。
そのため、第１および第２実施形態の住宅１では、寝具や玩具が、リビングダイニングキッチン１１の余剰スペースに置きっぱなしになってしまうおそれを抑制することができる。
また、第１および第２実施形態の住宅１では、リビングダイニングキッチン１１の掃除の時、来客時などに、リビングダイニングキッチン１１に置かれている寝具や玩具を移動させる手間がかかってしまう事態を回避することができる。
また、第１および第２実施形態の住宅１では、子どもが余白空間１２で勉強することによって、ダイニングテーブル上の子どもの勉強道具を片付けなければならない事態を回避することができる。
つまり、第１および第２実施形態の住宅１では、２階建て３０坪余りの規模であって、乳児期から学童期の子どもを抱えていても、リビングダイニングキッチン１１が雑然とすることを防止でき、リビングダイニングキッチン１１の片付けの手間が減らすことができる。子どもが成長して親への依存度が低下するとともに、親に時間的余裕が生まれた後には、親が余白空間１２を趣味間や在宅勤務のための空間として有効利用することができる。
すなわち、第１および第２実施形態の住宅１では、余白空間１２を長期間にわたって有効利用することができる。
【０１００】
以上、本発明を実施するための形態について実施形態を用いて説明したが、本発明はこうした実施形態に何等限定されるものではなく、本発明の要旨を逸脱しない範囲内において種々の変形及び置換を加えることができる。上述した各実施形態および各例に記載の構成を適宜組み合わせてもよい。
【符号の説明】
【０１０１】
１…住宅、１１…リビングダイニングキッチン、１１Ａ…リビング空間、１１Ｂ…ダイニング空間、１１Ｃ…キッチン空間、１１Ｃ１…対面式キッチン、１２…余白空間、１２Ａ…収納部、１２Ｂ…縦スリット窓、１２Ｃ…地窓、１３…引戸、Ｗ…有効開口幅、１５…浴室洗面空間、１５Ａ…洗面所、１５Ｂ…浴室、１６…間仕切壁、１６Ａ…出入口、１７…手洗い空間、１８…エントランス空間、１８Ａ…玄関土間、１８Ｂ…玄関ホール、１８Ｃ…玄関ドア、１９…階段室空間、１９Ａ…Ｕターン階段、１９Ｂ…下曲り階段、１９Ｃ…上下曲り階段
【図１】
2020159031.tif 000003
【図２】
2020159031.tif 000004
【図３】
2020159031.tif 000005
【図４】
2020159031.tif 000006
【図５】
2020159031.tif 000007
【図６】
2020159031.tif 000008
【図７】
2020159031.tif 000009
【図８】
2020159031.tif 000010
【図９】
2020159031.tif 000011
【図１０】
2020159031.tif 000012